(57)【要約】【課題】ＣＤケースを上下方向に重ねて収納するＣＤラックにおいて、高さ寸法を抑制する。【解決手段】収納段Ｓ２１は、弓状の２個の側面規制部１１，１１と、これらを連結する背面規制部１２とによって、ＣＤケースＤａ，Ｄｂの収納スペースａ，ｂを形成する。収納スペースａ，ｂの底面は、一段下の収納段Ｓ２０における側面規制部１１，１１の上面の一部及び側面規制部１２の上面の一部によって形成し、収納スペースａ，ｂの天井面は、一段上の収納段における側面規制部１１，１１の下面の一部、及び側面規制部１２の下面の一部によって形成する。収納段Ｓ２０と収納段Ｓ２１との区画、及び収納段Ｓ２１とこの上の収納段との区画となる仕切りが不要となり、その分、高さを低くできる。【選択図】      図３
2004248938.tif 000002
【特許請求の範囲】
【請求項１】
ＣＤケースをほぼ水平に収納する収納段を、上下方向に複数段有する柱状のＣＤラックにおいて、
前記各収納段は、
前記ＣＤケースを収納するするとともに前記ＣＤケースをほぼ水平方向に着脱するための開口部を有する収納スペースと、
前記収納スペースと同じ厚さに形成された規制部であって、収納状態の前記ＣＤケースの左右側面を規制する側面規制部と背面を規制する背面規制部とを有する規制部と、を備え、
連続する上中下の３段の収納段について、中段の前記収納スペースの底面が下段の前記規制部の上面の一部によって形成され、また中段の前記収納スペースの天井面が上段の前記規制部の下面の一部によって形成され、
中段の前記収納スペースに収納されたＣＤケースを下段の前記規制部の上面の一部によって支持する、
ことを特徴とするＣＤラック。
【請求項２】
連続する２段の収納段について、それぞれの収納スペースに対するＣＤケースの着脱方向が異なる、
ことを特徴とする請求項１に記載のＣＤラック。
【請求項３】
同一の収納段において、２個の収納スペースを備え、このうち一方の収納スペースは前面側に開口部を有し、他方の収納スペースは後面側に開口部を有するとともに、これら２個の収納スペースに収納状態のＣＤケースの背面を規制する前記背面規制部が共通である、
ことを特徴とする請求項１又は２に記載のＣＤラック。
【請求項４】
複数の前記収納段は、木材を刳り貫いて一体的に構成されている、
ことを特徴とする請求項１ないし３のいずれか１項に記載のＣＤラック。
【請求項５】
複数の前記収納段を回転自在に支持する回転台を有する、
ことを特徴とする請求項１ないし４のいずれか１項に記載のＣＤラック。
【発明の詳細な説明】
【０００１】
【発明の属する技術分野】
本発明は、中にＣＤが入れられるＣＤケースを収納するための収納ラックに関する。
【０００２】
【従来の技術】
中にＣＤが入れられるＣＤケースをほぼ水平な状態で、上下方向に複数枚収納する収納ラックが知られている。
この収納ラックは、上下方向に複数段の収納スペースを有している。各段の収納スペースはＣＤケースよりも僅かに厚く設定されており、左右方向の仕切り部材によって上下方向に仕切られている。この仕切り部材には、板状の仕切り板や凸状の仕切り突起がある。このうち仕切り板の場合には、ＣＤケースはその全体をこれに載せるようにして収納する。一方、仕切り突起の場合には、ＣＤケースの下面における左右の端部近傍をそれぞれ仕切り突起に載せるようにして収納する。
【０００３】
【発明が解決しようとする課題】
しかしながら上述の収納ラックにおいては、全体の上下方向の寸法（高さ）が大きくなりがちであるという問題があった。すなわち、上下方向の寸法は、例えば、各段の収納スペースの上下方向の寸法をａ、段数をｎ段、仕切り部材の厚さをｂとすると、少なくともａ×ｎ＋ｂ（ｎ−１）となる。つまり、収納スペースの合計であるａ×ｎの外に、仕切り部材の厚さの合計ｂ（ｎ−１）が必要となるため、その分、上下方向の寸法が大きくなってしまうという問題があった。
【０００４】
そこで、本発明は、仕切り部材を省略して、上下方向の寸法（高さ）を抑制するようにしたＣＤラックを提供することを目的とするものである。
【０００５】
【課題を解決するための手段】
請求項１に係る発明は、ＣＤケースをほぼ水平に収納する収納段を、上下方向に複数段有する柱状のＣＤラックにおいて、前記各収納段は、前記ＣＤケースを収納するするとともに前記ＣＤケースをほぼ水平方向に着脱するための開口部を有する収納スペースと、前記収納スペースと同じ厚さに形成された規制部であって、収納状態の前記ＣＤケースの左右側面を規制する側面規制部と背面を規制する背面規制部とを有する規制部と、を備え、連続する上中下の３段の収納段について、中段の前記収納スペースの底面が下段の前記規制部の上面の一部によって形成され、また中段の前記収納スペースの天井面が上段の前記規制部の下面の一部によって形成され、中段の前記収納スペースに収納されたＣＤケースを下段の前記規制部の上面の一部によって支持する、ことを特徴とする。
【０００６】
請求項２に係る発明は、請求項１に記載のＣＤラックにおいて、連続する２段の収納段について、それぞれの収納スペースに対するＣＤケースの着脱方向が異なる、ことを特徴とする。
【０００７】
請求項３に係る発明は、請求項１又は２に記載のＣＤラックにおいて、同一の収納段において、２個の収納スペースを備え、このうち一方の収納スペースは前面側に開口部を有し、他方の収納スペースは後面側に開口部を有するとともに、これら２個の収納スペースに収納状態のＣＤケースの背面を規制する前記背面規制部が共通である、ことを特徴とする。
【０００８】
請求項４に係る発明は、請求項１ないし３のいずれか１項に記載のＣＤラックにおいて、複数の前記収納段は、木材を刳り貫いて一体的に構成されている、ことを特徴とする。
【０００９】
請求項５に係る発明は、請求項１ないし４のいずれか１項に記載のＣＤラックにおいて、複数の前記収納段を回転自在に支持する回転台を有する、ことを特徴とする。
【００１０】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【００１１】
＜実施の形態１＞
図１〜図４に、本発明に係るＣＤ（コンパクトディスク）ラックの一例として実施の形態１に係るＣＤラック１を示す。これらの図のうち、図１はＣＤラック１全体の斜視図、図２はＣＤラック１の正面図、図３は図２におけるＡ−Ａ線矢印図、図４は図２におけるＢ−Ｂ線矢視図である。なお、これらに図示するＣＤラック１は、正面図、後面図、左側面図、右側面図のいずれも同じになるが、以下では、説明の便宜上、図２を正面図として説明するものとする。
【００１２】
ＣＤラック１は、図１，図２に示すように、ラック本体２と、このラック本体２を回転自在に支持する回転台３とを備えている。
【００１３】
ラック本体２は、ほぼ円柱状に形成されていて、その軸心２ａをほぼ垂直に向けている。ラック本体２は、上下方向に複数段の収納段Ｓ１〜Ｓ２５を備えている。これら収納段Ｓ１〜Ｓ２５は、いずれも同形に形成されている。すなわち、上下方向（高さ方向）の寸法をはじめとして、構造が同じに形成されている。さらに、軸心２ａを基準とする回転方向の位置関係についても、奇数段の収納段Ｓ１，Ｓ３……，Ｓ２５はすべて同じに、また、偶数段の収納段Ｓ２，Ｓ４……，Ｓ２４はすべて同じになっている。ただし、本実施の形態では、奇数段の収納段Ｓ１……に対して、偶数段の収納段Ｓ２……は、軸心２ａを回転中心として、９０度回転させた位置関係となっている。最上段の収納段Ｓ２５の上方には蓋部２ｂが設けられ、また最下段の収納段Ｓ１の下方には底部２ｃが設けられている。さらに、底部２ｃの下面には、円柱状の回転軸２ｄが突設されている。
【００１４】
回転台３は、円板状に形成されていて、上面の中央には、上述のラック本体２の回転軸２ｄを回転自在に支持する凹部３ａが形成されている。
【００１５】
図２のＡ−Ａ線矢視図を図３に、またＢ−Ｂ線矢視図を図４に示す。なお、図３の右上に示した座標の、ｘ１方向を前、ｘ２方向を後、ｙ１方向を右、ｙ２方向を左とする。この位置関係は、図４においても同様である。
【００１６】
図３に示すように、収納段Ｓ２１は、２個の収納スペースａ，ｂと、これら収納スペースａ，ｂと同じ厚さの規制部とによって構成されている。規制部は、右側と左側とのそれぞれに配置された弓状の２個の側面規制部１１，１１と、これらを左右方向に連結する背面規制部１２とを有している。そして、これら側面規制部１１，１１と背面規制部１２との間には、ＣＤケースＤａ，Ｄｂ（二点鎖線で図示）を収納するための２個の収納スペースａ，ｂが形成されている。収納スペースａ，ｂの左右の側面は、側面規制部１１，１１によって形成され、収納スペースａ，ｂの背面は、背面規制部１２によって形成される。つまり、背面規制分１２は、収納スペースａに前方からＣＤケースＤａを差し入れたときのストッパとして、また、収納スペースｂに後方からＣＤケースＤｂを差し入れたときのストッパとして作用する。さらに収納スペースａ，ｂの底面は、収納段Ｓ２１の一段下の収納段Ｓ２０における側面規制部１１，１１の上面の一部及び背面規制部１２の上面の一部によって形成されている。そして、収納スペースａ，ｂの天井面は、収納段Ｓ２１の一段上の収納段Ｓ２２における側面規制部１１，１１の下面の一部、及び背面規制部１２の下面の一部によって形成されている。つまり、収納段Ｓ２０，Ｓ２１，Ｓ２２を上下方向に連続する３段（下段，中段，上段）の収納段としたときに、中段の収納段Ｓ２１の収納スペースａは、底面が下段の収納段Ｓ２０によって構成され、天井面が上段の収納段２２によって構成されることになる。このため、収納段Ｓ２０と収納段Ｓ２１とを区画するための仕切り、及び収納段Ｓ２１と収納段Ｓ２２とを区画するための仕切りがいずれも不要となる。
【００１７】
上述の収納段Ｓ２１の収納スペースａ，ｂは、それぞれ前方，後方に開口部を有しており、幅寸法、高さ寸法は、ＣＤケースＤａ，Ｄｂのそれらよりも少し大きく設定されている。収納スペースａにＣＤケースＤａを収納する際は、ＣＤケースＤａを前方から後方に向けて挿入する。また、収納スペースａからＣＤケースＤａを取り出す際には、ＣＤケースＤａを前方から引き抜く。一方、収納スペースｂにＣＤケースＤｂを収納する際は、ＣＤケースＤｂを後方から前方に向けて挿入する。また、収納スペースｂからＣＤケースＤｂを取り出す際には、ＣＤケースＤｂを後方から引き抜く。
【００１８】
図４に、図２におけるＢ−Ｂ線矢視図を示す。すなわち、図４は、収納段Ｓ２０の水平断面図である。図４に示す収納段Ｓ２０は、図３に示す収納段Ｓ２１と同形である。ただし、軸心２ａを基準とした回転方向の位置関係について、収納段Ｓ２０は、収納段Ｓ２１を９０度回転させた位置関係となっている。収納段Ｓ２０の収納スペースｃ，ｄに対しては、例えば図１に示すＣＤケースＤｄのように、左右方向に挿入し、また引き出すようにする。なお、上述のように、収納段Ｓ２０は、位置関係を除いて、すべて収納段Ｓ２１と同様なので、その詳細な説明は省略する。
【００１９】
上述では、収納段Ｓ２１及び収納段Ｓ２０について詳述したが、他の奇数段の収納段Ｓ１……については収納段Ｓ２１と同様であり、また他の偶数の収納段Ｓ２……については収納段Ｓ２０と同様である。
【００２０】
以上説明したように、本実施の形態によると、上下に連続する収納段の間に、特別に仕切り部材を設ける必要がないので、その分、ＣＤラック１全体の上下方向の寸法（高さ寸法）を抑制することができ、コンパクトに構成することが可能である。また、回転台３に対してラック本体２が回転自在であるので、ラック本体２を回転させることにより、収納スペースａ，ｂ，ｃ，ｄのうちの、ＣＤケースを挿入し又は引き出したい収納スペースを前面に簡単に配置することができるので、挿入又は引き出しが容易である。
【００２１】
上述のラック本体２は、例えば、木材から、各収納スペースａ，ｂ，ｃ，ｄに相当する部分を刳り貫いて一体的に構成することができる。この場合、木材の形状としては、上述の円柱状の外に、角柱状（例えば、四角柱状、六角柱状）等の任意の形状のものを使用することができる。さらに、例えば、木材を使用する場合には、木材の外周面の表面（表皮）や断面の木目を、自然のまま生かすようにすると、ＣＤラック１において、木材の風情を味わうことができる。
【００２２】
上述の実施の形態では、奇数段の収納段Ｓ１……と偶数段の収納段Ｓ２……におけるＣＤケースの着脱方向が、９０度異なるように形成した例を説明したが、これに代えて、例えば、６０度や４５度となるように構成してもよい。
【００２３】
またラック本体２の収納段の段数については、収納段Ｓ１〜Ｓ２５の２５段ある場合を例に説明したが、適宜な段数に構成してもよいのはもちろんである。
【００２４】
なお、図１，図２における収納段Ｓ２近傍の符号１１，１１ａ，１１ｂについては、次の実施の形態２で説明する。
【００２５】
＜実施の形態２＞
厚さの厚いＣＤケースやＤＶＤケースの収納を可能としたものである。
【００２６】
図１，図２に示す収納段Ｓ２における側面規制部１１のうちの、収納段Ｓ１の収納スペースａと収納段Ｓ３の収納スペースａとの間に位置する部分１１ａを取り外し可能とすることもできる。この部分１１ａは、図３を参照すると、収納段２０の前側（図示では下側）の側面規制部１１及び背面規制部１２のうちのＣＤケースＤａが載置される部分、つまり側面規制部１１及び背面規制部１２のうちの斜線で囲まれた部分に相当する。そして、図１，図２に示すように、部分１１ａの側面に、前後方向の凸状１１ｂ，１１ｂを設け、ラック本体２側には、この凸上１１ｂ，１１ｂをガイドするガイド溝を設ける。
【００２７】
本実施の形態によると、部分１１ａをラック本体２から引き抜くことにより、高さ寸法が、従来の収納スペースａの３倍の収納スペースを構成することができる。
【００２８】
同様にして、５倍，７倍の高さ寸法の収納スペースも簡単に構成することができる。
【００２９】
＜実施の形態３＞
前述の実施の形態１，２にあっては、各収納段Ｓ１〜Ｓ２５においてＣＤケースの背面を、横方向に配置されている背面規制部１２によって規制しているが、これら背面規制部１２を除去し、これに代えて軸心２ａに合わせるようにして、支柱（不図示）を立設するようにしてもよい。各収納段に収納されるＣＤケースは、その背面をこの支柱に当接させることによって収納時の位置決めを行うようにすることができ、ＣＤラック１全体の構成を簡略化することができる。
【００３０】
＜実施の形態４＞
図５に実施の形態３を示す斜視図である。ラック本体２は、全体を一体的に構成するのに代えて、ユニットを組み立てるようにして構成してもよい。各収納段をそれぞれほぼ円板状の個別なユニットとして構成し、これらを上下に重ねて全体を構成することができる。
【００３１】
図５に、収納段Ｐ１〜Ｐ４をほぼ円板状の個別なユニットとして構成し、これらを上下に重ねた例を示す。各収納段Ｐ１〜Ｐ４は、それぞれ、側面規制部１１，１１及び背面規制部１２と、これらの間に形成された収納スペースａ，ｂ（又はｃ，ｄ：ただしｄは不図示）によって構成されている。
【００３２】
本実施の形態によると、各収納段Ｐ１〜Ｐ４を、軸心２ａ（図１参照）に対して任意の角度に設定した状態で積み重ねることができるので、ＣＤケースの着脱方向を各収納段ごとに適宜に設定することができる。また、例えば、図５週の収納段Ｐ１，Ｐ２に示すように、それぞれの収納スペースａ，ａの位置が一致するように重ねれば、高さ寸法が２倍の収納スペースを構成することができる。同様にして、高さ寸法が３倍以上の収納スペースも簡単に構成することができる。さらに、収納段の段数の増減も極めて簡単に行うことができる。
【００３３】
以上の実施の形態１〜４においては、ＣＤラック１にＣＤケースを収納する場合を例に説明したが、本発明はこれに限定されるものではなく、例えば、収納スペースａ，ｂ，ｃ，ｄの大きさをＤＶＤに合わせて形成すれば、ＤＶＤラックとして使用することもできる。
【００３４】
さらに、上述の実施の形態２，４の構成を採用する場合には、各収納スペースの高さ寸法を簡単に変更することができるので、ＣＤケースやＤＶＤケースに限らず、他の任意のものを収納できるラックとしても使用することが可能である。
【００３５】
【発明の効果】
以上説明したように、本発明によると、ＣＤケースをほぼ水平に収納する収納段を、上下方向に複数段有する柱状のＣＤラックにおいて、各収納段の間に仕切り板、仕切り突起等の仕切り部材が不要となるので、その分、上下方向の寸法（高さ）を抑制して、コンパクトに構成することができる。
【図面の簡単な説明】
【図１】実施の形態１，２のＣＤラックの全体構成を示す斜視図である。
【図２】実施の形態１，２のＣＤラックの正面図である。
【図３】図２におけるＡ−Ａ線矢視図である。
【図４】図２におけるＢ−Ｂ線矢視図である。
【図５】実施の形態４のＣＤラックの構成例を示す斜視図である。
【符号の説明】
１          ＣＤラック
２          ラック本体
３          回転台
１１        規制部（側面規制部）
１２        規制部（背面規制部）
ａ，ｂ，ｃ，ｄ収納スペース
Ｐ１〜Ｐ４  収納段
Ｓ１〜Ｓ２５収納段
【図１】
2004248938.tif 000003
【図２】
2004248938.tif 000004
【図３】
2004248938.tif 000005
【図４】
2004248938.tif 000006
【図５】
2004248938.tif 000007